(57)【特許請求の範囲】
【請求項１】
複数の給紙トレイと、ジョブの実行予定を示すスケジュール画像を表示手段に表示させる制御手段とを備えた画像形成装置であって、
前記制御手段は、
前記表示手段に表示された前記スケジュール画像において、
前記複数の給紙トレイのうちの１つに対応付けられる給紙トレイの情報を縦軸又は横軸に沿って複数表示し、
前記縦軸又は横軸に沿って表示された前記給紙トレイの情報に対応付けられる給紙トレイのそれぞれについて、ジョブが指定する用紙内容に一致する用紙内容の給紙トレイに用紙が収納されていない場合、当該給紙トレイに用紙を補給することを示す情報を、当該給紙トレイに対応付けて表示された前記給紙トレイの情報に対応付けて表示する
ことを特徴とする画像形成装置。
【請求項２】
複数の給紙トレイと、ジョブの実行予定を示すスケジュール画像を表示手段に表示させる制御手段とを備えた画像形成装置であって、
前記制御手段は、
前記表示手段に表示された前記スケジュール画像において、
縦軸及び横軸の一方の軸である第１軸に沿って、前記複数の給紙トレイのうちの１つに対応付けられる給紙トレイの情報を複数表示するとともに、前記縦軸及び横軸の他方の軸である第２軸に沿って、前記表示された給紙トレイの情報のそれぞれに対応付けて、当該給紙トレイの情報に対応付けられる給紙トレイの前記ジョブにおける実行予定に関する情報を表示し、
さらに、ジョブが指定する用紙内容に一致する用紙内容の給紙トレイに用紙が収納されていない場合、当該給紙トレイに用紙を補給することを示す情報を表示する
ことを特徴とする画像形成装置。
【請求項３】
前記制御手段は、
前記表示手段に表示された前記スケジュール画像において、
縦軸及び横軸の一方の軸である第１軸に沿って、前記給紙トレイの情報を表示し、前記縦軸及び横軸の他方の軸である第２軸に沿って、前記表示された給紙トレイの情報のそれぞれに対応付けて、当該給紙トレイの情報に対応付けられる給紙トレイの前記ジョブにおける実行予定に関する情報を表示する
ことを特徴とする請求項１に記載の画像形成装置。
【請求項４】
前記制御手段は、
前記給紙トレイの情報を示す給紙トレイ表示欄を、前記スケジュール画像に表示し、ジョブが指定する用紙内容に一致する用紙内容の給紙トレイに用紙が収納されていない場合、当該給紙トレイの給紙トレイ表示欄に、当該給紙トレイに用紙を補給することを示す情報を表示する
ことを特徴とする請求項１から３のいずれか１項に記載の画像形成装置。
【請求項５】
前記制御手段は、ジョブが指定する用紙内容に一致する用紙内容の給紙トレイに用紙が収納されていない場合、当該給紙トレイに対応付けられる給紙トレイの情報に対して、当該給紙トレイに用紙を補給することを示す補給マークを付加する
ことを特徴とする請求項１から４のいずれか１項に記載の画像形成装置。
【請求項６】
前記制御手段は、ジョブが指定する用紙内容に一致する用紙内容の給紙トレイに用紙が収納されていない場合、ポップアップ表示によって当該給紙トレイに用紙を補給することを示す情報を表示する
ことを特徴とする請求項２に記載の画像形成装置。
【請求項７】
前記給紙トレイの情報は、前記複数の給紙トレイのうちの１つを特定する識別情報を含む
ことを特徴とする請求項１から６のいずれか１項に記載の画像形成装置。
【請求項８】
前記給紙トレイの情報は、前記給紙トレイに収納される用紙の、サイズ情報、紙質情報、坪量情報及び枚数情報の少なくとも１つを含む
ことを特徴とする請求項１から７のいずれか１項に記載の画像形成装置。
【請求項９】
前記制御手段は、ジョブが指定する用紙内容に一致する用紙内容の給紙トレイに用紙が収納されていない場合、ジョブが指定する用紙内容の情報をポップアップ表示する
ことを特徴とする請求項１から８のいずれか１項に記載の画像形成装置。
【請求項１０】
前記制御手段は、ジョブが指定する用紙内容の情報を、前記給紙トレイの情報と異なる箇所にポップアップ表示する
ことを特徴とする請求項１から９のいずれか１項に記載の画像形成装置。
【請求項１１】
前記制御手段は、ジョブが指定する用紙内容に一致する用紙内容の給紙トレイに用紙が収納されていない場合、ジョブの実行が不可能であることを示すジョブ実行不可表示欄にジョブの実行が不可であることを示す情報を表示する
ことを特徴とする請求項１から１０のいずれか１項に記載の画像形成装置。
【請求項１２】
前記制御手段は、ジョブが指定する用紙内容に一致する用紙内容の給紙トレイに用紙が収納されていない場合、ジョブの実行が不可能であることを示すジョブ実行不可表示欄にジョブの実行が不可であることを示す情報を表示し、当該表示箇所をユーザが指定することにより、当該給紙トレイに用紙を補給することを示す情報を表示する
ことを特徴とする請求項１から１０のいずれか１項に記載の画像形成装置。
【請求項１３】
前記制御手段は、ジョブの実行が不可であることを表示するジョブ実行不可表示欄を表示し、ジョブが指定する用紙内容に一致する用紙内容の給紙トレイに用紙が収納されていない場合、前記ジョブ実行不可表示欄にジョブの実行が不可であることを示す情報を表示し、当該表示箇所をユーザが指定することにより、当該給紙トレイに用紙を補給することを示す情報を表示すると共に、ジョブが指定する用紙内容の情報をポップアップ表示する
ことを特徴とする請求項１から１０のいずれか１項に記載の画像形成装置。
【請求項１４】
前記給紙トレイは、指示に基づいて又は自動的に決定されることを特徴とする請求項１から１３のいずれか１項に記載の画像形成装置。
【請求項１５】
前記制御手段は、前記ポップアップ表示に設定変更表示を含ませて表示すると共に、前記設定変更表示がユーザによって指定されることにより、用紙の給紙先となる給紙トレイと少なくとも１の給紙トレイに収納される用紙内容の設定とを変更する設定変更画面を表示する
ことを特徴とする請求項９、１０、又は１３に記載の画像形成装置。
【請求項１６】
前記制御手段は、前記設定変更画面において、ジョブが指定する第１の用紙内容の情報と、少なくとも１の前記給紙トレイについて当該給紙トレイに収納される第２の用紙内容の情報とを表示し、ユーザの指示に基づいて、第１の用紙内容の情報を第２の用紙内容の情報に上書きする上書操作部を表示する
ことを特徴とする請求項１５に記載の画像形成装置。
【請求項１７】
前記制御手段は、前記設定変更画面において、前記第１の用紙内容の情報と前記第２の用紙内容の情報との異なる部分を強調表示する
ことを特徴とする請求項１６に記載の画像形成装置。
【請求項１８】
前記制御手段は、ジョブの内容を一覧にて示す一覧画像を表示可能であり、ジョブが指定する用紙内容に一致する用紙内容の給紙トレイに用紙が収納されていない場合、前記一覧画像において当該給紙トレイに用紙を補給することを示す情報を表示する
ことを特徴とする請求項１から１７のいずれか１項に記載の画像形成装置。
【請求項１９】
複数の給紙トレイと、ジョブの実行予定を示すスケジュール画像を表示手段に表示させる制御手段とを備えた画像形成装置に、
前記表示手段に表示された前記スケジュール画像において、
前記複数の給紙トレイのうちの１つに対応付けられる給紙トレイの情報を縦軸又は横軸に沿って複数表示し、前記縦軸又は横軸に沿って表示された前記給紙トレイの情報に対応付けられる給紙トレイのそれぞれについて、ジョブが指定する用紙内容に一致する用紙内容の給紙トレイに用紙が収納されていない場合、当該給紙トレイに用紙を補給することを示す情報を、当該給紙トレイに対応付けて表示された前記給紙トレイの情報に対応付けて表示する表示ステップ、
を実行させることを特徴とするプログラム。
【請求項２０】
複数の給紙トレイと、ジョブの実行予定を示すスケジュール画像を表示手段に表示させる制御手段とを備えた画像形成装置に、
前記表示手段に表示された前記スケジュール画像において、
縦軸及び横軸の一方の軸である第１軸に沿って、前記複数の給紙トレイのうちの１つに対応付けられる給紙トレイの情報を複数表示するとともに、前記縦軸及び横軸の他方の軸である第２軸に沿って、前記表示された給紙トレイの情報のそれぞれに対応付けて、当該給紙トレイの情報に対応付けられる給紙トレイの前記ジョブにおける実行予定に関する情報を表示し、さらに、ジョブが指定する用紙内容に一致する用紙内容の給紙トレイに用紙が収納されていない場合、当該給紙トレイに用紙を補給することを示す情報を表示する表示ステップ、
を実行させることを特徴とするプログラム。
【請求項２１】
前記表示ステップでは、
前記表示手段に表示された前記スケジュール画像において、
縦軸及び横軸の一方の軸である第１軸に沿って、前記給紙トレイの情報を表示し、前記縦軸及び横軸の他方の軸である第２軸に沿って、前記表示された給紙トレイの情報のそれぞれに対応付けて、当該給紙トレイの情報に対応付けられる給紙トレイの前記ジョブにおける実行予定に関する情報を表示する
ことを特徴とする請求項１９に記載のプログラム。
【請求項２２】
前記表示ステップでは、
前記給紙トレイの情報を示す給紙トレイ表示欄を、前記スケジュール画像に表示し、ジョブが指定する用紙内容に一致する用紙内容の給紙トレイに用紙が収納されていない場合、当該給紙トレイの給紙トレイ表示欄に、当該給紙トレイに用紙を補給することを示す情報を表示する
ことを特徴とする請求項１９から２１のいずれか１項に記載のプログラム。
【請求項２３】
複数の給紙トレイと、ジョブの実行予定を示すスケジュール画像を表示手段に表示させる制御手段とを備えた画像形成装置において実行される方法であって、
前記表示手段に表示された前記スケジュール画像において、
前記複数の給紙トレイのうちの１つに対応付けられる給紙トレイの情報を縦軸又は横軸に沿って複数表示し、前記縦軸又は横軸に沿って表示された前記給紙トレイの情報に対応付けられる給紙トレイのそれぞれについて、ジョブが指定する用紙内容に一致する用紙内容の給紙トレイに用紙が収納されていない場合、当該給紙トレイに用紙を補給することを示す情報を、当該給紙トレイに対応付けて表示された前記給紙トレイの情報に対応付けて表示する表示ステップ、
を備えることを特徴とする方法。
【請求項２４】
複数の給紙トレイと、ジョブの実行予定を示すスケジュール画像を表示手段に表示させる制御手段とを備えた画像形成装置において実行される方法であって、
前記表示手段に表示された前記スケジュール画像において、
縦軸及び横軸の一方の軸である第１軸に沿って、前記複数の給紙トレイのうちの１つに対応付けられる給紙トレイの情報を複数表示するとともに、前記縦軸及び横軸の他方の軸である第２軸に沿って、前記表示された給紙トレイの情報のそれぞれに対応付けて、当該給紙トレイの情報に対応付けられる給紙トレイの前記ジョブにおける実行予定に関する情報を表示し、さらに、ジョブが指定する用紙内容に一致する用紙内容の給紙トレイに用紙が収納されていない場合、当該給紙トレイに用紙を補給することを示す情報を表示する表示ステップ、
を備えることを特徴とする方法。
【請求項２５】
前記表示ステップでは、
前記表示手段に表示された前記スケジュール画像において、
縦軸及び横軸の一方の軸である第１軸に沿って、前記給紙トレイの情報を表示し、前記縦軸及び横軸の他方の軸である第２軸に沿って、前記表示された給紙トレイの情報のそれぞれに対応付けて、当該給紙トレイの情報に対応付けられる給紙トレイの前記ジョブにおける実行予定に関する情報を表示する
ことを特徴とする請求項２３に記載の方法。
【請求項２６】
前記表示ステップでは、
前記給紙トレイの情報を示す給紙トレイ表示欄を、前記スケジュール画像に表示し、ジョブが指定する用紙内容に一致する用紙内容の給紙トレイに用紙が収納されていない場合、当該給紙トレイの給紙トレイ表示欄に、当該給紙トレイに用紙を補給することを示す情報を表示する
ことを特徴とする請求項２３から２５のいずれか１項に記載の方法。
【発明の詳細な説明】
【技術分野】
【０００１】
本発明は、画像形成装置、プログラム及び方法に関する。
【背景技術】
【０００２】
従来、ジョブの実行予定を示すスケジュール画像を表示する画像形成装置が提案されている（特許文献１参照）。この画像形成装置によれば、表示画面の縦軸に沿って用紙の種類を示す情報を表示し、横軸に沿って稼働時間や使用枚数を示す情報を表示して、スケジュール表示を行う。
【先行技術文献】
【特許文献】
【０００３】
【特許文献１】特開２００４−３４８７１３号公報
【発明の開示】
【発明が解決しようとする課題】
【０００４】
しかし、従来の画像形成装置では、ジョブが指定した用紙と一致する用紙が給紙トレイに収納されていない場合、ジョブが実行できなくなる。この場合、ユーザは、複数の給紙トレイのうち、いずれの給紙トレイに用紙を補給してよいか理解できず、ジョブの実行を可能とする状態にリカバリーすることに支障をきたし、生産性の低下につながってしまう。
【０００５】
本発明は、このような従来の課題を解決するためになされたものであり、その目的とするところは、生産性の向上を図ることが可能な画像形成装置、プログラム及び方法を提供することにある。
【課題を解決するための手段】
【０００６】
上記目的を達成するため、本発明に係る画像形成装置は、複数の給紙トレイと、ジョブの実行予定を示すスケジュール画像を表示手段に表示させる制御手段とを備えた画像形成装置であって、前記制御手段は、前記表示手段に表示された前記スケジュール画像において、前記複数の給紙トレイのうちの１つに対応付けられる給紙トレイの情報を縦軸又は横軸に沿って複数表示し、前記縦軸又は横軸に沿って表示された前記給紙トレイの情報に対応付けられる給紙トレイのそれぞれについて、ジョブが指定する用紙内容に一致する用紙内容の給紙トレイに用紙が収納されていない場合、当該給紙トレイに用紙を補給することを示す情報を、当該給紙トレイに対応付けて表示された前記給紙トレイの情報に対応付けて表示することを特徴とする。
【０００７】
また、本発明に係る画像形成装置は、複数の給紙トレイと、ジョブの実行予定を示すスケジュール画像を表示手段に表示させる制御手段とを備えた画像形成装置であって、前記制御手段は、前記表示手段に表示された前記スケジュール画像において、縦軸及び横軸の一方の軸である第１軸に沿って、前記複数の給紙トレイのうちの１つに対応付けられる給紙トレイの情報を複数表示するとともに、前記縦軸及び横軸の他方の軸である第２軸に沿って、前記表示された給紙トレイの情報のそれぞれに対応付けて、当該給紙トレイの情報に対応付けられる給紙トレイの前記ジョブにおける実行予定に関する情報を表示し、さらに、ジョブが指定する用紙内容に一致する用紙内容の給紙トレイに用紙が収納されていない場合、当該給紙トレイに用紙を補給することを示す情報を表示することを特徴とする。
【０００８】
また、本発明に係るプログラムは、複数の給紙トレイと、ジョブの実行予定を示すスケジュール画像を表示手段に表示させる制御手段とを備えた画像形成装置に、前記表示手段に表示された前記スケジュール画像において、前記複数の給紙トレイのうちの１つに対応付けられる給紙トレイの情報を縦軸又は横軸に沿って複数表示し、前記縦軸又は横軸に沿って表示された前記給紙トレイの情報に対応付けられる給紙トレイのそれぞれについて、ジョブが指定する用紙内容に一致する用紙内容の給紙トレイに用紙が収納されていない場合、当該給紙トレイに用紙を補給することを示す情報を、当該給紙トレイに対応付けて表示された前記給紙トレイの情報に対応付けて表示する表示ステップ、を実行させることを特徴とする。
【０００９】
また、本発明に係るプログラムは、複数の給紙トレイと、ジョブの実行予定を示すスケジュール画像を表示手段に表示させる制御手段とを備えた画像形成装置に、前記表示手段に表示された前記スケジュール画像において、縦軸及び横軸の一方の軸である第１軸に沿って、前記複数の給紙トレイのうちの１つに対応付けられる給紙トレイの情報を複数表示するとともに、前記縦軸及び横軸の他方の軸である第２軸に沿って、前記表示された給紙トレイの情報のそれぞれに対応付けて、当該給紙トレイの情報に対応付けられる給紙トレイの前記ジョブにおける実行予定に関する情報を表示し、さらに、ジョブが指定する用紙内容に一致する用紙内容の給紙トレイに用紙が収納されていない場合、当該給紙トレイに用紙を補給することを示す情報を表示する表示ステップ、を実行させることを特徴とする。
【００１０】
また、本発明に係る方法は、複数の給紙トレイと、ジョブの実行予定を示すスケジュール画像を表示手段に表示させる制御手段とを備えた画像形成装置において実行される方法であって、前記表示手段に表示された前記スケジュール画像において、前記複数の給紙トレイのうちの１つに対応付けられる給紙トレイの情報を縦軸又は横軸に沿って複数表示し、前記縦軸又は横軸に沿って表示された前記給紙トレイの情報に対応付けられる給紙トレイのそれぞれについて、ジョブが指定する用紙内容に一致する用紙内容の給紙トレイに用紙が収納されていない場合、当該給紙トレイに用紙を補給することを示す情報を、当該給紙トレイに対応付けて表示された前記給紙トレイの情報に対応付けて表示する表示ステップ、を備えることを特徴とする。
【００１１】
また、本発明に係る方法は、複数の給紙トレイと、ジョブの実行予定を示すスケジュール画像を表示手段に表示させる制御手段とを備えた画像形成装置において実行される方法であって、前記表示手段に表示された前記スケジュール画像において、縦軸及び横軸の一方の軸である第１軸に沿って、前記複数の給紙トレイのうちの１つに対応付けられる給紙トレイの情報を複数表示するとともに、前記縦軸及び横軸の他方の軸である第２軸に沿って、前記表示された給紙トレイの情報のそれぞれに対応付けて、当該給紙トレイの情報に対応付けられる給紙トレイの前記ジョブにおける実行予定に関する情報を表示し、さらに、ジョブが指定する用紙内容に一致する用紙内容の給紙トレイに用紙が収納されていない場合、当該給紙トレイに用紙を補給することを示す情報を表示する表示ステップ、を備えることを特徴とする。
【発明の効果】
【００２２】
本発明によれば、生産性の向上を図ることができる。
【図面の簡単な説明】
【００２３】
【図１】本実施形態に係る画像形成装置を示す概略構成図である。
【図２】本実施形態に係る画像形成装置の構成を示す制御ブロック図である。
【図３】図１に示した積載部を示す概略図であり、（ａ）は第１の状態を示し、（ｂ）は第２の状態を示している。
【図４】スケジュール画像の一例を示す図である。
【図５】各給紙トレイの用紙内容の設定、及び、入力されたジョブを示す図であり、（ａ）は各給紙トレイの用紙内容の設定を示し、（ｂ）は入力されたジョブを示している。
【図６】図５に示した各給紙トレイの用紙内容の設定及びジョブに応じたスケジュール画像を示す図である。
【図７】実行不可バーを指定したときの第１の表示例を示す図である。
【図８】実行不可バーを指定したときの第２の表示例を示す図である。
【図９】実行不可バーを指定したときの第３の表示例を示す図である。
【図１０】実行不可バーを指定したときの第４の表示例を示す図である。
【図１１】用紙を補給した場合におけるスケジュール画像の第１の例を示す図である。
【図１２】用紙を補給した場合におけるスケジュール画像の第２の例を示す図である。
【図１３】設定変更画面の一例を示す図である。
【図１４】一覧画像の一例を示す図である。
【図１５】本実施形態に係る画像形成装置のスケジュール画像の表示処理を示すフローチャートである。
【発明を実施するための形態】
【００２４】
以下、本発明の実施の形態に基づいて、本発明を説明するが、本発明は該実施の形態に限られない。図１は、本実施形態に係る画像形成装置を示す概略構成図である。
【００２５】
本実施形態に係る画像形成装置１は、本体部１ａと後処理装置５０とを備えたデジタル複合機であって、本体部１ａは、原稿ｄから画像を読み取り、読み取った画像を用紙Ｐに画像形成するものである。また、本体部１ａは、画像データを含むページデータや各画像データの画像形成条件等の設定情報を含むジョブのジョブ情報を外部装置等から受信し、受信したジョブ情報に基づいて画像を用紙Ｐ上に形成するものである。この本体部１ａは、画像読取部２０と、操作表示部３０と、プリント部４０とを有して構成されている。
【００２６】
画像読取部２０は、ＡＤＦ（Auto Document Feeder）と称される自動原稿送り部２１と読取部２２とを備え、操作表示部３０により受け付けられた設定情報に基づいて複数の原稿ｄの画像を読み取るものである。自動原稿送り部２１の原稿トレイＴ１に載置された原稿ｄは読取箇所であるコンタクトガラスに搬送され、原稿ｄの片面又は両面の画像は光学系を介してＣＣＤ（Charge Coupled Device）２２ａにより読み取られる。なお、ここでいう画像とは、図形や写真等のイメージデータに限らず、文字や記号等のテキストデータ等も含む概念である。
【００２７】
画像読取部２０により読み取られた画像の画像データ（アナログ画像信号）は、後述する画像制御部１００の読取処理部１４０に出力され、読取処理部１４０においてＡ／Ｄ変換され各種画像処理が施された後、プリント部４０に出力される。
【００２８】
操作表示部３０は、表示手段として機能するＬＣＤ（Liquid Crystal Display）３１、ＬＣＤ３１を覆うように設けられたタッチパネル３２、及び操作キー群３３から構成され、タッチパネル３２又は操作キー群３３を介してユーザからの指示を受け付け、その指示に基づく操作信号を後述する制御部１１０に出力するものである。また、操作表示部３０は、制御部１１０から入力される表示信号に従って、各種画像や処理結果等をＬＣＤ３１に表示するものである。
【００２９】
プリント部４０は、入力された画像データに基づいて、電子写真方式の画像形成処理を行うものであり、積載部４１、用紙搬送部４２、画像形成部４３、及び搬出部４４を備えて構成される。
【００３０】
積載部４１は、複数の給紙トレイ４１１ａ〜４１１ｃ、給紙手段４１ａ、手差しトレイＴ２等を備えている。各給紙トレイ４１１ａ〜４１１ｃは、それぞれ予め定められた種類の用紙Ｐが収納されており、給紙手段４１ａによって用紙Ｐを最上部から１枚ずつ用紙搬送部４２に向けて搬送するものである。なお、図１に示す例では３つの給紙トレイ４１１ａ〜４１１ｃを備える例を説明するが、給紙トレイの数は３つに限らず、２つ又は４つ以上であってもよい。
【００３１】
手差しトレイＴ２は、ユーザのニーズに合わせて様々な種類の用紙Ｐを積載可能となっており、積載された用紙Ｐを給紙ローラによって最上部から１枚ずつ用紙搬送部４２に向けて搬送するものである。
【００３２】
用紙搬送部４２は、各給紙トレイ４１１ａ〜４１１ｃ又は手差しトレイＴ２から搬送された用紙Ｐを、複数の中間ローラ、レジストローラ４２ａ等を経て転写装置４３ａへと搬送するものである。また、用紙搬送部４２は、搬送路切換板により片面画像形成処理済みの用紙Ｐを両面搬送路に搬送し、再び中間ローラ、レジストローラ４２ａ等を経て転写装置４３ａへと搬送する機能を備えている。
【００３３】
画像形成部４３は、感光体ドラム、帯電装置、画像データに基づくレーザ光を出力するレーザ出力部とレーザ光を主走査方向に走査させるポリゴンミラーとを有する露光装置、現像装置、転写装置４３ａ、クリーニング部、及び定着装置４３ｂを備え、ジョブ情報に基づいて、用紙Ｐに画像を形成するものである。具体的に画像形成にあたっては、露光装置が、帯電装置により帯電された感光体ドラムにレーザ光を照射して静電潜像を形成する。そして、静電潜像が形成された感光体ドラムの表面に、現像装置が帯電したトナーを付着させて静電潜像を現像する。現像装置により感光体ドラム上に形成されたトナー像は、転写装置４３ａにおいて用紙Ｐに転写される。また、用紙Ｐにトナー像が転写された後、感光体ドラムの表面の残留トナー等は、クリーニング部により除去される。
【００３４】
定着装置４３ｂは、用紙搬送部４２によって搬送された用紙Ｐに転写されたトナー像を熱定着するものである。定着された用紙Ｐは、搬出部４４の排紙ローラに挟持されて搬出口から後処理装置５０に搬送される。
【００３５】
後処理装置５０は、ソートユニット、折ユニット、パンチユニット、及びステイプルユニット等の各種後処理ユニットを備え、画像形成された用紙Ｐのソート処理、折処理、パンチ処理、及び設定された綴じ位置に用紙Ｐの束を綴じるステイプル処理等を行うものである。また、後処理装置５０は、本体部１ａより画像形成された用紙Ｐや各種後処理が施された用紙Ｐが排紙され積載される排紙トレイＴ３等を備えている。
【００３６】
図２は、本実施形態に係る画像形成装置１の構成を示す制御ブロック図である。図２に示すように、画像形成装置１は、図１に示した本体部１ａと後処理装置５０に加えて、プリンタコントローラ１ｂを備えている。このプリンタコントローラ１ｂは、画像形成装置１をネットワークプリンタとして使用する場合に用いられ、ＰＣ２からデータを受信し、当該データを画像データやジョブとして本体部１ａに送信するものである。
【００３７】
このようなプリンタコントローラ１ｂは、コントローラ制御部１１、ＤＲＡＭ（Dynamic Random Access Memory）制御部１２、画像メモリ１３、及びＬＡＮＩＦ（Local Area Network Interface）１４を備えている。
【００３８】
コントローラ制御部１１は、プリンタコントローラ１ｂの各部動作を統括的に制御し、ＬＡＮＩＦ１４を介してＰＣ２から入力されるデータをジョブとして本体部１ａに送信するものである。
【００３９】
ＤＲＡＭ制御部１２は、ＬＡＮＩＦ１４により受信されたデータの画像メモリ１３への格納や、画像メモリ１３からのデータの読み出しを制御するものである。また、ＤＲＡＭ制御部１２は、画像制御部１００のＤＲＡＭ（Dynamic Random Access Memory）制御部１６０とＰＣＩ（Peripheral Components Interconnect）バスで接続されており、コントローラ制御部１１からの指示に従ってプリント対象のデータを画像メモリ１３から読み出してＤＲＡＭ制御部１６０に画像データを出力するものである。
【００４０】
画像メモリ１３はＤＲＡＭから構成されており、画像データを一時的に格納するものである。ＬＡＮＩＦ１４は、ＮＩＣ（Network Interface Card）やモデム等のＬＡＮネットワークと接続するための通信インターフェイスであり、ＰＣ２からデータを受信するものである。ＬＡＮＩＦ１４によって受信されたデータは、ＤＲＡＭ制御部１２に出力されることとなる。
【００４１】
また、本体部１ａは、図１に示した画像読取部２０、操作表示部３０、及びプリント部４０に加えて、画像制御部１００を備えている。また、画像制御部１００は、制御部１１０、不揮発性メモリ１２０、ＲＡＭ（Random Access Memory）１３０、読取処理部１４０、圧縮ＩＣ（Integrated Circuit）１５０、ＤＲＡＭ制御部１６０、画像メモリ１７０、伸張ＩＣ１８０、及び書込処理部１９０を有している。
【００４２】
制御部１１０は、ＣＰＵ（Central Process Unit）等から構成され、画像形成装置１の各部を集中制御するものである。不揮発性メモリ１２０は、システムプログラム及び各種アプリケーションプログラムを記憶したものである。ＲＡＭ１３０は、各種データを記憶するワークエリアとして機能するものである。このような構成であるため、制御部１１０は、不揮発性メモリ１２０に格納されているシステムプログラム及び各種アプリケーションプログラムの中から指定されたプログラムを読み出してＲＡＭ１３０に展開し、ＲＡＭ１３０に展開されたプログラムとの協働で各種処理を実行し、画像形成装置１の各部を集中制御することとなる。
【００４３】
読取処理部１４０は、ＣＣＤ２２ａから入力されるアナログ画像信号に、アナログ処理、Ａ／Ｄ変換処理、シェーディング処理等の各種処理を施した後に、デジタル画像データを生成するものである。圧縮ＩＣ１５０は、入力されたデジタル画像データに圧縮処理を施してＤＲＡＭ制御部１６０に出力するものである。
【００４４】
ＤＲＡＭ制御部１６０は、制御部１１０からの指示に従って、圧縮ＩＣ１５０による画像データの圧縮処理及び伸張ＩＣ１８０による圧縮画像データの伸張処理を制御すると共に、画像メモリ１７０への画像データの入出力制御を行うものである。画像メモリ１７０は、画像データを記憶するものである。伸張ＩＣ１８０は、圧縮ＩＣ１５０により圧縮処理が施された圧縮画像データに伸張処理を施すものである。
【００４５】
また、画像メモリ１７０は、圧縮メモリ１７１とページメモリ１７２とから構成されている。圧縮メモリ１７１は、圧縮ＩＣ１５０により圧縮された圧縮画像データを記憶するものである。ページメモリ１７２は、伸張ＩＣ１８０により伸張処理が施された画像データを記憶するものである。
【００４６】
このような構成であるため、ＤＲＡＭ制御部１６０は、画像読取部２０により読み取られた画像信号の保存が指示されると、読取処理部１４０から入力された画像データの圧縮処理を圧縮ＩＣ１５０により実行させる。そして、ＤＲＡＭ制御部１６０は、圧縮ＩＣ１５０により圧縮された圧縮画像データを圧縮メモリ１７１に記憶させる。また、ＤＲＡＭ制御部１６０は、圧縮メモリ１７１に記憶された圧縮画像データのプリント出力が指示されると、圧縮メモリ１７１から圧縮画像データを読み出し、伸張ＩＣ１８０により伸張処理を施してページメモリ１７２に記憶させる。記憶後、ＤＲＡＭ制御部１６０は、ページメモリ１７２に記憶された画像データのプリント出力が指示されると、ページメモリ１７２から画像データを読み出し、書込処理部１９０に出力する。
【００４７】
書込処理部１９０は、ＤＲＡＭ制御部１６０から入力した画像データに基づいて、画像形成のためのプリントデータを生成し、プリント部４０に出力するものである。
【００４８】
また、画像読取部２０は、図１に示した自動原稿送り部２１等（図２において図示を省略する）、及びＣＣＤ２２ａに加えて、画像読取制御部２００を備えている。画像読取制御部２００は、自動原稿送り部２１及び読取部２２等を制御して原稿面を露光走査させるものである。この露光走査によって、反射光がＣＣＤ２２ａに入力され、ＣＣＤ２２ａにおいて光電変換され、アナログ画像データとして読取処理部１４０に出力されることとなる。
【００４９】
操作表示部３０は、図１に示したＬＣＤ３１、タッチパネル３２、及び操作キー群３３（図２において図示を省略する）に加えて、操作表示制御部３００を備えている。操作表示制御部３００は、制御部１１０から入力される表示信号に従って各種画像をＬＣＤ３１に表示させるものである。このため、操作表示制御部３００と制御部１１０とは、表示内容を制御する制御手段として機能する。また、操作表示制御部３００は、タッチパネル３２や操作キー群３３からから入力される操作信号を制御部１１０に出力するものである。
【００５０】
プリント部４０は、図１に示した画像形成部４３に加えて、プリント制御部４００を備えている。プリント制御部４００は、制御部１１０からの指示に従って画像形成部４３等のプリント部４０の各部を制御し、書込処理部１９０から入力されたプリントデータに基づいて用紙Ｐに画像形成を行わせるものである。また、プリント制御部４００は制御部１１０からの指示に従った後処理信号を後処理装置５０に送信するものである。
【００５１】
後処理装置５０は、後処理ユニット５１と後処理制御部５００とを備えている（図１において図示せず）。後処理ユニット５１は、前述したソートユニット等から構成されている。後処理制御部５００は、後処理ユニット５１を制御するものであり、プリント制御部４００から入力される後処理信号に応じて、各部を駆動制御して用紙Ｐに所定の後処理を行わせ、排紙トレイＴ３に排紙させるものである。
【００５２】
ここで、積載部４１についてさらに説明する。図３は、図１に示した積載部４１を示す概略図であり、（ａ）は第１の状態を示し、（ｂ）は第２の状態を示している。図３（ａ）及び（ｂ）に示すように、積載部４１は、概略的に載置部４１ｂと、リフトアップ部４１ｃと、用紙位置検出センサ４１ｄと、用紙有無検出センサ４１ｅとを備えている。
【００５３】
載置部４１ｂは用紙Ｐを積載する部位である。リフトアップ部４１ｃは、載置部４１ｂに載置される用紙Ｐのうち最上端用紙Ｐ１を所定位置までリフトアップするリフトアップ手段として機能するものである。このリフトアップ部４１ｃは、プリント制御部４００によって駆動されるモータＭの駆動によって載置部４１ｂをリフトアップ及びリフトダウンするようになっている。具体的にリフトアップ部４１ｃは、給紙トレイ４１１ａ〜４１１ｃを画像形成装置１の本体部１ａから引き出した場合に図３（ａ）に示す最下位置までリフトダウンし、給紙トレイ４１１ａ〜４１１ｃを画像形成装置１の本体部１ａに押し込んだ場合に図３（ｂ）に示す位置までリフトアップする。
【００５４】
用紙位置検出センサ４１ｄは、リフトアップ部４１ｃにより載置部４１ｂがリフトアップされ、載置部４１ｂに載置される用紙Ｐのうち最上端用紙Ｐ１が接触したことを検出するものである。用紙位置検出センサ４１ｄは、最上端用紙Ｐ１が接触すると、その旨の信号をプリント制御部４００に送信し、プリント制御部４００はモータＭを停止させることとなる。用紙有無検出センサ４１ｅは、載置部４１ｂに用紙が載置されているかを検出するものである。
【００５５】
また、プリント制御部４００は、リフトアップ部４１ｃによるリフトアップ量、及び、用紙有無検出センサ４１ｅからの信号によって、給紙トレイ４１１ａ〜４１１ｃに収納される用紙Ｐの枚数を推定する。
【００５６】
具体的に説明すると、プリント制御部４００は、用紙有無検出センサ４１ｅからの信号によって用紙Ｐが１枚も収納されていない場合に、用紙枚数が０枚であると推定する。また、用紙有無検出センサ４１ｅからの信号によって少なくとも１枚の用紙Ｐが収納されていると判断できる場合、リフトアップ部４１ｃのリフトアップ量に基づいて収納される用紙Ｐの最大枚数と最小枚数とを推定する。この際、プリント制御部４００は、モータＭの回転量からリフトアップ量を算出し、このリフトアップ量からレベルを求める。レベルは例えば「１」から「４」までの４段階であり、例えばレベル「４」であれば最大枚数を５５０枚と推定すると共に、最小枚数を３８８枚と推定する。なお、用紙有無検出センサ４１ｅからの信号により用紙枚数が０枚であると推定された場合をレベル「０」とすると、プリント制御部４００は、レベル「０」からレベル「４」の５段階で、収納される用紙枚数を推定することとなる。
【００５７】
さらに、プリント制御部４００は、推定した用紙枚数の情報を、制御部１１０を介して操作表示制御部３００に送信し、操作表示制御部３００は推定用紙枚数に応じて後述推定用紙枚数情報６１ｅの表示内容を制御することとなる。
【００５８】
また、本実施形態に係る画像形成装置１は、ジョブの実行予定を示すスケジュール画像をＬＣＤ３１に表示するようになっている。図４は、スケジュール画像６０の一例を示す図である。なお、以下の説明において給紙トレイの数は９個とする。
【００５９】
図４に示すようにスケジュール画像６０には、各給紙トレイの情報を示す給紙トレイ情報表示欄６１と、指標表示欄６２と、ジョブ実行予定表示欄６３と、ジョブ実行不可表示欄６４とが表示される。
【００６０】
給紙トレイ情報表示欄６１は、各給紙トレイの情報を表示する表示欄であって、スケジュール画像６０の縦軸に沿って表示されている。給紙トレイの情報とは、給紙トレイのトレイ番号情報６１ａ、給紙トレイに収納される用紙Ｐのサイズ情報６１ｂ、給紙トレイに収納される用紙Ｐの紙質情報６１ｃ、給紙トレイに収納される用紙Ｐの坪量情報６１ｄ、及び給紙トレイに収納される用紙Ｐの推定用紙枚数情報６１ｅから構成されている。なお、推定用紙枚数情報６１ｅは、プリント制御部４００によって求められたレベルに応じて表示される。また、給紙トレイ情報表示欄６１は、スケジュール画像６０の縦軸に沿って表示されているが、これに限らず横軸に沿って表示されていてもよい。
【００６１】
指標表示欄６２は、ジョブの実行の指標、すなわちジョブの実行の目安となる情報を表示する表示欄であって、スケジュール画像６０の横軸に沿って表示されている。ここで、ジョブの実行の指標とは、例えば用紙枚数の情報である。具体的に図４に示す例において指標表示欄６２には、用紙枚数０枚、２５０枚、５００枚、７５０枚などと２５０枚毎の区切り表示がされている。なお、ジョブの実行の指標とは、用紙枚数に限らず、例えばジョブの実行時間の情報など、他の情報であってもよい。また、指標表示欄６２はスケジュール画像６０の横軸に沿って表示されているが、給紙トレイ情報表示欄６１がスケジュール画像６０の横軸に沿って表示されている場合には、縦軸に沿って表示されていてもよい。
【００６２】
ジョブ実行予定表示欄６３は、ジョブの実行予定を示す表示欄であって、給紙トレイ情報表示欄６１及び指標表示欄６２に対応付けられて表示されている。また、ジョブ実行予定表示欄６３は、各給紙トレイそれぞれのジョブの実行予定を示すために、横軸に沿う１２個の各トレイ表示欄６３ａ〜６３ｉを有している。
【００６３】
ジョブ実行不可表示欄６４は、ジョブの実行が不可能であることを表示する表示欄であって、ジョブが指定する用紙Ｐと一致する給紙トレイが存在しない場合に、表示が行われる表示欄である。このジョブ実行不可表示欄６４は、スケジュール画像６０の縦軸に沿って表示されている。
【００６４】
次に、スケジュール画像６０によるジョブの実行予定の表示状態を説明する。ＰＣ２からサイズＳＲＡ３且つ坪量６４〜７４ｇ／ｍ２の上質紙２００枚に画像形成すると共にトレイ１を指定するトレイ指定ジョブが入力され、その後、サイズＳＲＡ３且つ坪量７５〜８０ｇ／ｍ２の上質紙６００枚に画像形成するオートジョブが入力され、次いで、ＰＣ２からサイズＳＲＡ３且つ坪量２２１〜２５６ｇ／ｍ２の上質紙４００枚に画像形成するオートジョブが入力された場合を例に説明する。また、図４に示す例において各給紙トレイの用紙Ｐの最小枚数は３８８枚であり、最大枚数が５５０枚と推定されているものとする。なお、トレイ指定ジョブとは、用紙の給紙先となる給紙トレイを指定するジョブである。また、オートジョブとは、用紙の給紙先となる給紙トレイを指定せず装置自体に選択させるジョブである。
【００６５】
この場合、画像形成装置１の制御部１１０は、１つ目のジョブがトレイ１を指定していることから、トレイ１の用紙Ｐを使用すると判断する。また、１つ目のジョブは、ＳＲＡ３且つ坪量６４〜７４ｇ／ｍ２の上質紙を指定しており、この用紙内容がトレイ１に収納される用紙Ｐの用紙内容と一致している。このため、操作表示制御部３００は、トレイ１のトレイ表示欄６３ａに用紙枚数０枚から延びる印刷バー６３ｍを表示させる。
【００６６】
なお、１つ目のジョブは２００枚の画像形成を指示するものである。このため、操作表示制御部３００は、用紙枚数０枚から２００枚まで延びる印刷バー６３ｍをトレイ１のトレイ表示欄６３ａに表示させることとなる。
【００６７】
このように、制御部１１０は、スケジュール画像６０においてジョブの実行が可能である場合、ジョブ実行予定表示欄６３のうちジョブが実行される給紙トレイに対応付けて実行予定を表示させる。
【００６８】
次に、画像形成装置１の制御部１１０は、２つ目のジョブに対して、ＳＲＡ３且つ坪量７５〜８０ｇ／ｍ２の上質紙が収納されているトレイ４〜トレイ９を使用可能と判断する。そして、制御部１１０は、まず６００枚のジョブに対してトレイ４に収納される用紙Ｐを使用すると選択する。このため、操作表示制御部３００は、トレイ４のトレイ表示欄６３ｄの用紙枚数２００枚から延びる印刷バー６３ｍを表示させる。
【００６９】
ここで、トレイ４には用紙Ｐが３８８枚しか収納されていない可能性がある。よって、操作表示制御部３００は、用紙枚数２００枚から５８８枚まで延びる印刷バー６３ｍをトレイ４のトレイ表示欄６３ｄに表示させることとなる。さらに、操作表示制御部３００は、印刷バー６３ｍの後端位置である５８８枚から延びる補助バー６３ｎを表示させる。なお、この補助バー６３ｎは、トレイ４に収納される最大枚数５５０枚から最小枚数３８８枚を減じた１６２枚の長さで表示される。すなわち、補助バー６３ｎは、５８８枚から７５０枚まで延びるものとなる。この補助バー６３ｎにより、画像形成装置１は給紙トレイに用紙Ｐが残っている可能性があることを示している。
【００７０】
なお、図４に示す例では、２つ目のジョブが６００枚の画像形成を指示するものである。このため、補助バー６３ｎは１６２枚の長さで表示されている。しかし、例えば２つ目のジョブが４５０枚の画像形成を指示するものである場合などトレイ４に収納される用紙Ｐの最大枚数に満たない場合には、補助バー６３ｎは、ジョブの終了の４５０枚から最小枚数３８８枚を減じた６２枚に応じた長さとなる。
【００７１】
また、トレイ４には用紙Ｐが３８８枚から５５０枚しか収納されていないため、２つ目のジョブについて用紙Ｐが不足する。よって、制御部１１０は、ＡＴＳ（Auto Tray Switch）機能により、トレイ４の用紙Ｐを全て使い切った後にトレイ５に収納される用紙Ｐを使用すると選択する。このため、操作表示制御部３００は、トレイ１のトレイ表示欄６３ａに表示される印刷バー６３ｍの後端位置である５８８枚の位置に対応させて、トレイ５のトレイ表示欄６３ｅの用紙枚数５８８枚から延びる印刷バー６３ｍを表示させる。この印刷バー６３ｍは、ジョブの終了となる２００＋６００＝８００枚まで伸びるものとなる。なお、ＡＴＳ機能とは、給紙トレイに収納される用紙Ｐが無くなった際に、ジョブに応じた他の給紙トレイを検索し、検索された給紙トレイに給紙先を自動切替する機能である。
【００７２】
次いで、画像形成装置１の制御部１１０は、３つ目のジョブに対して、いずれの給紙トレイも使用不可と判断する。すなわち、３つ目のジョブが示す、サイズＳＲＡ３且つ坪量２２１〜２５６ｇ／ｍ２の上質紙が収納されている給紙トレイがないため、制御部１１０は、いずれの給紙トレイも使用不可と判断する。このため、操作表示制御部３００は、ジョブ実行不可表示欄６４に実行不可バー６３ｏを表示させる。この実行不可バー６３ｏは、２つ目のジョブの終了時点である用紙枚数８００枚から、３つ目のジョブの画像形成枚数４００枚を８００枚に加算した１２００枚まで延びるものとなる。
【００７３】
以上がスケジュール画像６０の基本的な表示状態である。さらに、本実施形態に係る画像形成装置１では生産性向上のため、図４に示す表示状態に加えて、以下の表示を実行することとしている。
【００７４】
図５は、各給紙トレイの用紙内容の設定、及び、入力されたジョブを示す図であり、（ａ）は各給紙トレイの用紙内容の設定を示し、（ｂ）は入力されたジョブを示している。まず、図５（ａ）に示すように、トレイ１は、色管理に関するプロファイルＮｏ．が「指定無し」であり、用紙サイズが「Ａ４Ｓ」であり、用紙種類が「普通紙」であり、用紙名称が「普通紙」であり、坪量が「６４〜７４ｇ／ｍ２」であり、用紙色が「白」であり、用紙のパンチ穴が「なし」に設定されている。また、トレイ１の用紙Ｐの残量はｘ１枚と検出されているものとする。以下、図５（ａ）に示すように、トレイ２〜トレイ９について各項目ごとに情報が設定されている。
【００７５】
以上のように各給紙トレイの用紙内容が設定されている状態で、図５（ｂ）に示すジョブが入力されたとする。すなわち、１つ目のジョブが、トレイを指定しないオートジョブであり、プロファイルＮｏ．「指定無し」、用紙サイズ「Ａ３」、用紙種類「普通紙」、用紙名称「普通紙」、坪量「６４〜７４ｇ／ｍ２」、用紙色「白」であり、用紙のパンチ穴「なし」であとする。また、２つ目のジョブが、トレイを指定しないオートジョブであり、プロファイルＮｏ．「指定無し」、用紙サイズ「Ａ３」、用紙種類「上質紙」、用紙名称「上質紙」、坪量「Don’t Care」、用紙色「白」であり、用紙のパンチ穴「なし」であるとする。さらに、１つ目のジョブは１０００枚の画像形成を指示し、２つ目のジョブは２００枚の画像形成を指示しているとする。
【００７６】
図６は、図５に示した各給紙トレイの用紙内容の設定及びジョブに応じたスケジュール画像６０を示す図である。まず、１つ目のジョブの用紙内容に一致する給紙トレイはトレイ９である。しかし、トレイ９には、用紙Ｐが入っておらず、ジョブを実行することができない。このため、操作表示制御部３００は、図６に示すように、ジョブ１について実行不可バー６３ｏをジョブ実行不可表示欄６４に表示させる。
【００７７】
さらに、２つ目のジョブの用紙内容に一致する給紙トレイはトレイ６及びトレイ８である。なお、２つ目のジョブは、坪量が「Don’t Care」で指定されていないため、用紙内容はトレイ６及びトレイ８に一致する。しかし、トレイ６及びトレイ８には、用紙Ｐが入っておらず、ジョブを実行することができない。このため、操作表示制御部３００は、図６に示すように、ジョブ２について実行不可バー６３ｏをジョブ実行不可表示欄６４に表示させる。
【００７８】
そして、ユーザが１つ目のジョブについての実行不可バー６３ｏを指定したとする。これにより、操作表示制御部３００は、図７に示す表示を行う。図７は、実行不可バー６３ｏを指定したときの第１の表示例を示す図である。図７に示すように、操作表示制御部３００はトレイ９に用紙Ｐを補給する旨の指示表示６５を行う。これにより、本実施形態に係る画像形成装置１は、ユーザに対して用紙Ｐの補給を促し、リカバリー作業の迅速化を図る。すなわち、単に実行不可バー６３ｏを表示するだけでは、ユーザはどの給紙トレイに対してリカバリー作業を行えばよいか不明であるが、指示表示６５を行うことにより、リカバリー対象となる給紙トレイを明確にし、リカバリー作業の迅速化を図ることとなる。
【００７９】
また、ユーザが２つ目のジョブについての実行不可バー６３ｏを指定したとする。これにより、操作表示制御部３００は、図８に示す表示を行う。図８は、実行不可バー６３ｏを指定したときの第２の表示例を示す図である。図８に示すように、操作表示制御部３００はトレイ６又はトレイ８に用紙Ｐを補給する旨の指示表示６５を行う。これにより、本実施形態に係る画像形成装置１は、ユーザに対して用紙Ｐの補給を促し、リカバリー作業の迅速化を図る。
【００８０】
なお、ユーザに対して用紙Ｐの補給を促す表示については、図７及び図８に示す例に限らず、以下の表示であってもよい。
【００８１】
図９は、実行不可バー６３ｏを指定したときの第３の表示例を示す図である。ユーザが１つ目のジョブについての実行不可バー６３ｏを指定した場合、操作表示制御部３００は、１つ目のジョブの用紙内容に一致するトレイ９の給紙トレイ情報表示欄６１のうち、給紙トレイのトレイ番号情報６１ａに補給マーク６６を表示させる。これにより、本実施形態に係る画像形成装置１は、ユーザに対して用紙Ｐの補給を促し、リカバリー作業の迅速化を図る。
【００８２】
また、１つ目のジョブについての実行不可バー６３ｏを指定した場合、操作表示制御部３００は、ジョブが指定する用紙内容の情報についてポップアップ表示６７を行う。このため、ユーザは、ポップアップ表示６７に含まれる用紙内容の情報を参照することにより、補給すべき用紙Ｐを理解でき、補給すべき用紙Ｐの選別についても迅速に行うことができる。
【００８３】
また、このポップアップ表示６７は、給紙トレイ情報表示欄６１と異なる箇所に表示される。このため、ユーザは、給紙トレイ表示欄６１の用紙内容の情報と、ポップアップ表示６７に含まれる用紙内容の情報とを比較でき、補給マーク６６の見落とし等があったとしてもユーザは用紙Ｐを補給すべき給紙トレイを理解することができる。
【００８４】
図１０は、実行不可バー６３ｏを指定したときの第４の表示例を示す図である。ユーザが２つ目のジョブについての実行不可バー６３ｏを指定した場合、操作表示制御部３００は、２つ目のジョブの用紙内容に一致するトレイ６及びトレイ８の給紙トレイ情報表示欄６１のうち、給紙トレイのトレイ番号情報６１ａに補給マーク６６を行う。これにより、本実施形態に係る画像形成装置１は、ユーザに対して用紙Ｐの補給を促し、リカバリー作業の迅速化を図る。なお、ポップアップ表示６７については、図９に示したものと同様である。
【００８５】
ここで、図１１及び図１２を参照して用紙Ｐを補給した場合のスケジュール画像６０を説明する。図１１は、用紙Ｐを補給した場合におけるスケジュール画像６０の第１の例を示す図である。トレイ９に用紙Ｐを充分に補給した場合、図１１に示すようにジョブ１に対応する実行不可バー６３ｏが消去され、トレイ９のトレイ表示欄６３ｉに印刷バー６３ｍが表示される。
【００８６】
図１２は、用紙Ｐを補給した場合におけるスケジュール画像６０の第２の例を示す図である。さらに、トレイ６に用紙Ｐを充分に補給した場合、図１２に示すようにジョブ２に対応する実行不可バー６３ｏが消去され、トレイ６のトレイ表示欄６３ｆに印刷バー６３ｍが表示される。なお、図１２に示す例では、トレイ６に用紙Ｐを補給したが、トレイ８に用紙を補給してもよい。
【００８７】
ここで、図９及び図１０に示すように、ポップアップ表示６７には、設定変更表示６７ａが含まれている。操作表示制御部３００は、この表示６７ａがユーザによって指定されることにより、用紙Ｐの給紙先となる給紙トレイと、各給紙トレイの用紙内容の設定とを変更する設定変更画面を表示することとなる。
【００８８】
図１３は、設定変更画面の一例を示す図である。設定変更表示６７ａがユーザによって指定されることにより、操作表示制御部３００は、図１３に示すような設定変更画面８０を表示させる。この設定変更画面８０は、用紙Ｐの給紙先となる給紙トレイと、各給紙トレイの用紙内容の設定とを変更可能とする画面である。ユーザは、設定変更画面８０の表示中に入力操作を行うことによって、用紙Ｐの給紙先となる給紙トレイと、各給紙トレイの用紙内容の設定とを変更することができる。
【００８９】
以下、設定変更画面８０について詳細に説明する。設定変更画面８０には、トレイ変更表示欄８１と、用紙設定表示欄８２と、操作ボタン８３とが表示される。トレイ変更表示欄８１は、ユーザが変更したい給紙トレイを選択するための表示欄である。ユーザは、トレイ変更表示欄８１に表示される給紙トレイのいずれか１つを選択することにより、用紙Ｐの給紙先となる給紙トレイを変更することができる。
【００９０】
用紙設定表示欄８２は、現時点における給紙トレイの用紙内容の設定を「現在の設定」として表示し、ジョブが指定する用紙内容を「予約した設定」として表示する表示欄である。また、用紙設定表示欄８２では、「現在の設定」と「予約した設定」とのうち異なる部分について着色表示が行われる。すなわち、図１３に示す例では、「現在の設定」のうち用紙種類「上質紙」、用紙名称「上質紙」、及び坪量「８１〜１０５ｇ／ｍ２」について着色表示が行われ、「予約した設定」のうち用紙種類「普通紙」、用紙名称「普通紙」、及び坪量「６４〜７４ｇ／ｍ２」について着色表示が行われている。
【００９１】
操作ボタン８３は、ユーザ操作を受け付ける表示部分であり、上書表示８３ａと閉じる表示８３ｂとからなっている。上書表示８３ａは、ユーザが指定することにより「予約した設定」を「現在の設定」に上書するための操作部分である。閉じる表示８３ｂは、設定変更画面８０自体を非表示にするための操作部分である。ユーザは、上書表示８３ａを指定することによって、ジョブが示す用紙内容の情報を、給紙トレイの用紙内容に簡易に上書でき、給紙トレイの設定を適切化することができる。
【００９２】
図１４は、一覧画像の一例を示す図である。また、ユーザがタッチパネル３２や操作キー群３３に所定の操作を行うことにより、操作表示制御部３００は、ＬＣＤ３１上に一覧画像９０を表示させることができる。この一覧画像９０は、図１４に示すように、ジョブの内容を一覧にて示すものであって、各種情報をマトリクス状に表示するものである。
【００９３】
詳細に説明すると、一覧画像９０は、縦列にジョブを表示し、横列に各種情報を表示する。すなわち、一覧画像９０では画像上側から順にジョブ１、ジョブ２と表示され、画像左側から順に、「モード」「状態」「枚数」「部数」「残枚数」「時間（分）」「ユーザ名」「ファイル名」「用紙補給トレイ」の各情報が表示される。
【００９４】
ここで、「モード」「状態」「枚数」「部数」「残枚数」「時間（分）」「ユーザ名」及び「ファイル名」については、通常のジョブに関する情報である。しかし、本実施形態において一覧画像９０には「用紙補給トレイ」が表示されている。この「用紙補給トレイ」の欄には、ジョブが指定する用紙内容に一致する用紙内容の給紙トレイに用紙が収納されていない場合、用紙Ｐを補給すべきトレイ番号が表示される。具体的に図１４に示す例において、ジョブ１の「用紙補給トレイ」の欄には「９」と表示され、トレイ９に用紙を補給する旨の表示が行われている。同様に、ジョブ２の「用紙補給トレイ」の欄には「６、８」と表示され、トレイ６及びトレイ８に用紙を補給する旨の表示が行われている。
【００９５】
次に、本実施形態に係る画像形成装置１の動作をフローチャートを参照して説明する。図１５は、本実施形態に係る画像形成装置１のスケジュール画像６０の表示処理を示すフローチャートである。なお、図１５に示す例では、オートジョブが入力されたものとして説明する。
【００９６】
図１５に示すように、まずプリンタコントローラ１ｂを介してジョブ情報が入力されると、制御部１１０は、ジョブ情報を参照し、ジョブ実行に必要な用紙枚数を算出する（Ｓ１）。具体的に制御部１１０は、ジョブ情報に含まれる部数あたりの用紙Ｐの枚数情報、部数情報、両面又は片面に画像形成するか否かの情報等に基づいて、ジョブの実行に必要な用紙枚数を算出する。
【００９７】
次いで、プリント制御部４００は、各給紙トレイについて、収納される用紙Ｐの用紙枚数を推定する（Ｓ２）。このとき、プリント制御部４００は図３を参照して説明したように最小枚数と最大枚数と推定する。
【００９８】
その後、制御部１１０は、ジョブが指定する用紙内容と一致する用紙内容の給紙トレイがあるか否かを判断する（Ｓ３）。ジョブが指定する用紙内容と一致する用紙内容の給紙トレイがないと判断した場合（Ｓ３：ＮＯ）、操作表示制御部３００は、ジョブ実行不可表示欄６４にジョブの実行不可を示す実行不可バー６３ｏを表示させる（Ｓ４）。その後、図１５に示す処理は終了する。
【００９９】
一方、ジョブが指定する用紙内容と一致する用紙内容の給紙トレイがあると判断した場合（Ｓ３：ＹＥＳ）、制御部１１０は、一致する給紙トレイに用紙Ｐが収納されているか否かを判断する（Ｓ５）。一致する給紙トレイに用紙Ｐが収納されていないと判断した場合（Ｓ５：ＮＯ）、操作表示制御部３００は、ジョブ実行不可表示欄６４にジョブの実行不可を示す実行不可バー６３ｏを表示させると共に、給紙トレイのトレイ番号情報６１ａに補給マーク６６を表示させる（Ｓ６）。その後、図１５に示す処理は終了する。
【０１００】
一致する給紙トレイに用紙Ｐが収納されていると判断した場合（Ｓ５：ＹＥＳ）、制御部１１０は、用紙Ｐが収納されている給紙トレイのうち１つを選択する（Ｓ７）。そして、制御部１１０は、ステップＳ２において推定された最小枚数からジョブの実行に必要な用紙枚数を減じ、減じた値がマイナスであるか否かを判断する（Ｓ８）。
【０１０１】
減じた値がマイナスでないと判断した場合（Ｓ８：ＮＯ）、操作表示制御部３００は、ステップＳ７において選択された給紙トレイのトレイ表示欄６３ａ〜６３ｉに印刷バー６３ｍを表示する（Ｓ９）。その後、図１５に示す処理は終了する。
【０１０２】
一方、減じた値がマイナスであると判断した場合（Ｓ８：ＹＥＳ）、操作表示制御部３００は、ステップＳ７において選択された給紙トレイのトレイ表示欄６３ａ〜６３ｉに印刷バー６３ｍを表示すると共に、最小枚数を超える部分について補助バー６３ｎを表示させる（Ｓ１０）。また、制御部１１０は、ジョブ情報に含まれる用紙内容の情報を参照し、用紙内容に一致する他の給紙トレイがあるか否を判断する（Ｓ１１）。
【０１０３】
用紙内容に一致する他の給紙トレイがないと判断した場合（Ｓ１１：ＮＯ）、処理はステップＳ４に移行する。そして、操作表示制御部３００は、ステップＳ１０において表示される印刷バー６３ｍの後端位置に対応させて、ジョブ実行不可表示欄６４にジョブの実行不可を示す実行不可バー６３ｏを表示させる（Ｓ４）。その後、図１５に示す処理は終了する。
【０１０４】
用紙内容に一致する他の給紙トレイがあると判断した場合（Ｓ１１：ＹＥＳ）、制御部１１０は、一致する他の給紙トレイに用紙Ｐが収納されているか否かを判断する（Ｓ１２）。一致する他の給紙トレイに用紙Ｐが収納されていると判断した場合（Ｓ１２：ＹＥＳ）、処理はステップＳ７に移行し、再度給紙トレイが選択される。
【０１０５】
一致する給紙トレイに用紙Ｐが収納されていないと判断した場合（Ｓ１２：ＮＯ）、操作表示制御部３００は、ステップＳ１０において表示される印刷バー６３ｍの後端位置に対応させて、ジョブ実行不可表示欄６４にジョブの実行不可を示す実行不可バー６３ｏを表示させると共に、給紙トレイのトレイ番号情報６１ａに補給マーク６６を表示させる（Ｓ６）。その後、図１５に示す処理は終了する。
【０１０６】
このようにして、本実施形態に係る画像形成装置１によれば、ジョブが指定する用紙内容に一致する用紙内容の給紙トレイに用紙Ｐが収納されていない場合、スケジュール画像６０中に、当該給紙トレイに用紙Ｐを補給する旨の表示を行う。このため、ユーザは用紙Ｐの補給を行うべき給紙トレイを迅速に理解でき、その給紙トレイに対して用紙の補給を行うことができる。これにより、リカバリー作業の迅速化につながり、生産性の向上を図ることができる。
【０１０７】
また、ジョブが指定する用紙内容に一致する用紙内容の給紙トレイに用紙が収納されていない場合、当該給紙トレイの給紙トレイ表示欄６１に用紙Ｐを補給する旨の補給マーク６６を表示する。このため、補給マーク６６は給紙トレイ表示欄６１に表示され、補給マーク６６と給紙トレイの情報とが近い位置で表示されることとなる。これにより、ユーザにとって用紙Ｐを補給すべき給紙トレイが明確となり、わかりやすい表示とすることができる。
【０１０８】
また、ジョブが指定する用紙内容に一致する用紙内容の給紙トレイに用紙Ｐが収納されていない場合、ジョブが指定する用紙内容の情報をポップアップ表示する。このため、ユーザは、ポップアップ表示される用紙内容の情報を参照することにより、補給すべき用紙Ｐを理解でき、補給すべき用紙Ｐの選別についても迅速に行うことができ、一層生産性を向上させることができる。
【０１０９】
また、給紙トレイ表示欄６１に給紙トレイの用紙内容の情報を表示すると共に、ジョブが指定する用紙内容の情報を給紙トレイ表示欄６１と異なる箇所にポップアップ表示させる。このため、ポップアップ表示される用紙内容の情報は給紙トレイ表示欄６１に表示される用紙内容の情報と重なることがなく、ユーザは、給紙トレイ表示欄６１の用紙内容の情報と、ポップアップ表示される用紙内容の情報とを比較することができる。これにより、ユーザは、補給マーク６６のみならず、用紙内容の情報の比較によっても補給すべき給紙トレイを知ることができ、補給マーク６６の見落とし等があったとしてもユーザは用紙Ｐを補給すべき給紙トレイを理解することができる。従って、生産性の向上を図ることができる。
【０１１０】
また、ジョブの実行が不可能であることを表示するジョブ実行不可表示欄６４を表示可能であり、ジョブが指定する用紙内容に一致する用紙内容の給紙トレイに用紙Ｐが収納されていない場合、ジョブ実行不可表示欄６４にジョブの実行が不可である旨を表示し、当該表示箇所をユーザが指定することにより、当該給紙トレイに用紙Ｐを補給する旨の表示を行うと共に、ジョブが指定する用紙内容の情報をポップアップ表示する。このため、ユーザの指定がなければ、ポップアップ表示等は行われないこととなる。よって、ユーザにポップアップ表示等を行う否かを選択させることができ、利便性を向上させることができる。
【０１１１】
また、ポップアップ表示に設定変更表示６７ａを含ませて表示させると共に、設定変更表示６７ａがユーザによって指定されることにより設定変更画面８０を表示させる。このため、ユーザは、設定変更表示６７ａを指定することにより用紙Ｐの給紙先となる給紙トレイや給紙トレイに収納される用紙内容の設定を変更でき、ユーザの望む給紙トレイからの給紙を行うことができる。
【０１１２】
また、設定変更画面８０において、ユーザが指定することによりジョブが指定する用紙内容の情報を給紙トレイに収納される用紙内容の情報に上書きする上書表示８３ａを表示する。このため、ユーザは上書表示８３ａを指定するだけでユーザの望む給紙トレイの設定を適切化でき、操作性の向上を図ることができる。
【０１１３】
また、ジョブが指定する用紙内容に一致する用紙内容の給紙トレイに用紙Ｐが収納されていない場合、一覧画面９０において当該給紙トレイに用紙を補給する旨の表示を行う。このため、スケジュール画像６０の表示中でなくとも一覧の表示中においても、ユーザは用紙Ｐの補給を行うべき給紙トレイを迅速に理解でき、その給紙トレイに対して用紙Ｐの補給を行うことができる。これにより、リカバリー作業の迅速化につながり、生産性の向上を図ることができる。
【０１１４】
以上、本発明に係る画像形成装置を実施形態に基づいて説明したが、本発明はこれに限定されるものではなく、本発明の趣旨を逸脱しない範囲で、変更を加えてもよい。
【０１１５】
例えば、図１５に示すフローチャートは、ジョブが給紙トレイを指定しないオートジョブである場合を例に説明したが、これに限らず、ジョブがトレイ指定ジョブであっても補給マーク６６表示させるなど、給紙トレイに用紙Ｐを補給する旨の表示を行ってもよい。
【０１１６】
また、本実施形態において画像形成装置はデジタル複合機であるが、これに限らず、プリンタなどの他の画像形成装置であってもよい。
【０１１７】
さらに、本実施形態においてスケジュール画像６０は、図４等に示したものに限らず、ジョブの実行予定を示すものであれば、特に表示形態に限定されるものではない。
【符号の説明】
【０１１８】
１  画像形成装置
１ａ  本体部
１ｂ  プリンタコントローラ
２  ＰＣ
１１  コントローラ制御部
１２  ＤＲＡＭ制御部
１３  画像メモリ
１４  ＬＡＮＩＦ
２０  画像読取部
２１  自動原稿送り部
２２  読取部
２２ａ  ＣＣＤ
３０  操作表示部
３１  ＬＣＤ
３２  タッチパネル
３３  操作キー群
４０  プリント部
４１  積載部
４１１ａ〜４１１ｃ  複数の給紙トレイ
４１ａ  給紙手段
４１ｂ  載置部
４１ｃ  リフトアップ部
４１ｄ  用紙位置検出センサ
４１ｅ  用紙有無検出センサ
４２  用紙搬送部
４２ａ  レジストローラ
４３  画像形成部
４３ａ  転写装置
４３ｂ  定着装置
４４  搬出部
５０  後処理装置
６０  スケジュール画像
６１  給紙トレイ情報表示欄
６１ａ  トレイ番号情報
６１ｂ  サイズ情報
６１ｃ  紙質情報
６１ｄ  坪量情報
６１ｅ  推定用紙枚数情報
６２  指標表示欄
６３  ジョブ実行予定表示欄
６３ａ〜６３ｉ  トレイ表示欄
６３ｍ  印刷バー
６３ｎ  補助バー
６３ｏ  実行不可バー
６４  ジョブ実行不可表示欄
６５  指示表示
６６  補給マーク
６７  ポップアップ表示
６７ａ  設定変更表示
７０  入力画面
７１  設定変更画像表示部
７１ａ  用紙種類設定ボタン
７１ｂ  用紙名称設定ボタン
７１ｃ  坪量設定ボタン
７１ｄ  色紙ボタン
７１ｅ  パンチ穴設定ボタン
７１ｆ  表裏調整設定ボタン
７１ｇ  速度設定ボタン
７１ｈ  厚さ設定ボタン
７２  詳細画像表示部
７２ａ  普通紙設定ボタン
７２ｂ  上質紙設定ボタン
７２ｃ  カラー用紙設定ボタン
７２ｄ  塗工紙ＧＬ設定ボタン
７２ｅ  塗工紙ＭＬ設定ボタン
７２ｆ  塗工紙ＧＯ設定ボタン
７２ｇ  塗工紙ＭＬ設定ボタン
８０  設定変更画面
８１  トレイ変更表示欄
８２  用紙設定表示欄
８３  操作ボタン
８３ａ  上書表示
８３ｂ  閉じる表示
１００  画像制御部
１１０  制御部
１２０  不揮発性メモリ
１３０  ＲＡＭ
１４０  読取処理部
１５０  圧縮ＩＣ
１６０  ＤＲＡＭ制御部
１７０  画像メモリ
１７１  圧縮メモリ
１７２  ページメモリ
１８０  伸張ＩＣ
１９０  書込処理部
２００  画像読取制御部
３００  操作表示制御部
４００  プリント制御部
５００  後処理制御部
ｄ  原稿
Ｍ  モータ
Ｐ  用紙
Ｐ１  最上端用紙
Ｔ１  原稿トレイ
Ｔ２  手差しトレイ
Ｔ３  排紙トレイ
【図１】
0005540606.tif 000002
【図２】
0005540606.tif 000003
【図３】
0005540606.tif 000004
【図４】
0005540606.tif 000005
【図５】
0005540606.tif 000006
【図６】
0005540606.tif 000007
【図７】
0005540606.tif 000008
【図８】
0005540606.tif 000009
【図９】
0005540606.tif 000010
【図１０】
0005540606.tif 000011
【図１１】
0005540606.tif 000012
【図１２】
0005540606.tif 000013
【図１３】
0005540606.tif 000014
【図１４】
0005540606.tif 000015
【図１５】
0005540606.tif 000016